(57)【要約】【課題】  本発明は装置本体内に多数のＨＤＤを搭載する電子ユニットの搭載機構及びディスクアレイ装置に関し、装置本体から引き出される引き出しケージに対してＨＤＤを容易に搭載できるようにすることを課題とする。【解決手段】  装置本体１Ｂに対して引き出し可能な構成とされた引き出しケージ１Ａに対してＨＤＤ２０を装着脱する電子ユニットの搭載機構であって、引き出しケージ１Ａに固定された本体部２とＨＤＤ２０を保持する保持体３とを有し、保持体３を本体部２に対して突出してＨＤＤ２０が装着脱される突出位置と、本体部２内に収納される収納位置との間で、鉛直方向に移動可能な構成とする。【選択図】  図４
2006172002.tif 000002
【特許請求の範囲】
【請求項１】
筐体に対して引き出し可能な構成とされた電子ユニット搭載体に対して電子ユニットを装着脱する電子ユニットの搭載機構であって、
前記電子ユニット搭載体に固定された本体部と、前記電子ユニットを保持する保持部とを有し、
前記保持部を前記本体部に対して突出し前記電子ユニットが装着脱される突出位置と、前記本体部内に収納される収納位置との間で、鉛直方向に移動可能な構成としたことを特徴とする電子ユニットの搭載機構。
【請求項２】
請求項１記載の電子ユニットの搭載機構において、
前記保持部が前記収納位置から前記突出位置に移動した際、前記保持部の移動を規制する移動規制部材を設けたことを特徴とする電子ユニットの搭載機構。
【請求項３】
請求項１または２記載の電子ユニットの搭載機構において、
前記保持部に前記電子ユニットが装着された際、該電子ユニットを前記保持部に係止する係止部材を設けたことを特徴とする電子ユニットの搭載機構。
【請求項４】
請求項１乃至３のいずれか１項に記載の電子ユニットの搭載機構において、
前記保持部は、前記本体部に対して鉛直方向に移動する枠体と、前記電子ユニットが装着脱されると共に前記枠体に対して開閉可能な構成とされたホルダーとを有してなることを特徴とする電子ユニットの搭載機構。
【請求項５】
筐体と、該筐体に対して引き出し可能な構成とされたハードディスクドライブ搭載体と、該ハードディスクドライブ搭載体に対してハードディスクドライブを装着脱する構造とを有してなるハードディスクドライブ搭載機構を設けたディスクアレイ装置であって、
前記ハードディスクドライブ搭載機構を、前記ハードディスクドライブ搭載体に固定された本体部と、前記ハードディスクドライブを保持する保持部とを有する構成とし、
前記保持部を前記本体部に対し、前記ハードディスクドライブ搭載体から突出し前記ハードディスクドライブが装着脱される突出位置と前記ハードディスクドライブ収納体内に収納される収納位置との間で、鉛直方向に移動可能な構成としたことを特徴とするディスクアレイ装置。
【発明の詳細な説明】
【技術分野】
【０００１】
本発明は電子ユニットの搭載機構及びディスクアレイ装置に係り、特に電子ユニット（ハードディスクドライブ）搭載体に対して多数の電子ユニット（ハードディスクドライブ）を搭載する電子ユニットの搭載機構及びディスクアレイ装置に関する。
【背景技術】
【０００２】
近年、高速かつ大容量で信頼性の高い外部記憶装置を実現すべく、ハードディスクドライブ（ＨＤＤ）を複数搭載したディスクアレイ装置が提供されている（例えば、特許文献１参照）。このディスクアレイ装置においては、メンテナンスの必要が生じた際、ディスクアレイ装置全体としては稼動した状態を維持し、メンテナンスが必要とされるハードディスクドライブのみを交換することが行なわれている。
【０００３】
一方、ハードディスクドライブが簡単にディスクアレイ装置から着脱できる構成であると、記録再生中にハードディスクドライブが着脱されてディスクアレイ装置が損傷するおそれがある。このため、ディスクアレイ装置は、通常時（メンテナンス時以外）は、ハードディスクドライブをディスクアレイ装置の装置本体（筐体）内に収納する構成とされている。
【０００４】
図１は、特許文献１に開示されたディクアレイ装置１００を概略的に示す斜視図であり、図２はディクアレイ装置１００に装着されるＨＤＤ ＡＳＳＹを示す斜視図である。ＨＤＤ１３８にはホルダー１３９が設けられており、このホルダー１３９の前面には図中矢印Ａ方向に回動可能なレバー１４１が設けられている（ＨＤＤ１３８とホルダー１３９とを合わせて、以下電子ユニット１１０という）。
【０００５】
ディクアレイ装置１００は、４本のラック柱１４２に支持された装置本体１３５内に、複数の電子ユニット１１０を装着した構成とされている。この装置本体１３５は規格化が図られており、その横幅（図中、矢印Ｙ１，Ｙ２方向の幅）は１９インチとされている。この装置本体１３５の内部には、各電子ユニット１１０を収納しうるケージ１３６が設けられており、このケージ１３６には電子ユニット１１０の装着脱を案内するガイドレール１４０が設けられている。
【０００６】
そして、電子ユニット１１０を装置本体１３５に対して着脱する際は、レバー１４１を矢印Ａ方向（前方）に倒し、この倒されたレバー１４１を把持して電子ユニット１１０を装置本体１３５に対して装着脱する。この際、電子ユニット１１０は装置本体１３５に形成されたガイドレール１４０に案内されてケージ１３６に対して図中矢印Ｘ１，Ｘ２方向に装着脱される。これにより、装置本体１３５に対し、電子ユニット１１０を容易に装着脱することができる。
【特許文献１】特開２００２−２０７０４０号公報
【発明の開示】
【発明が解決しようとする課題】
【０００７】
ところで、近年ではディクアレイ装置の高容量化が図られており、一方、装置本体１３５に装着されるＨＤＤが、３．５インチ径のＨＤＤから２．５インチ径のＨＤＤに変わりつつある。２．５インチ径のＨＤＤは、３．５インチ径のＨＤＤと記憶容量は略等しいが形状が小さい。このため、規格化された装置本体１３５内に３．５インチ径のＨＤＤを装着する構成に比べ、２．５インチ径のＨＤＤを装着した方がディクアレイ装置１００の記憶容量を高めることができる。
【０００８】
また、２．５インチ径のＨＤＤは上記のように３．５インチ径のＨＤＤに比べて小さい形状であるが、これを図１に示すように３．５インチ径のＨＤＤと同様に装置本体１３５に対して矢印Ｘ１，Ｘ２方向に装着脱方法では、装置本体１３５に対するＨＤＤの搭載台数に限界がある。このため、装置本体５に対して引き出し可能な引き出しケージ（引き出し方向は、図１に示すＸ１，Ｘ２方向と同方向）を設け、この引き出しケージに対して電子ユニットを鉛直方向（上下方向）に装着脱する構成のものが提案されている。
【０００９】
しかしながら、この引き出しケージを用いた構成では、２．５インチ径のＨＤＤを搭載した電子ユニットの収納効率を高めることができるが、電子ユニットを引き出しケージに対して収納する際、電子ユニットを引き出しケージの上部から挿入する構成となるため、電子ユニットのガイド（図１に示すガイドレール１４０に相当するもの）が見え難くなる。このため、電子ユニットを引き出しケージに対する装着が面倒で、装着位置を間違えたり、装着に要する時間が長くなったりするという問題点があった。
【００１０】
本発明は上記の点に鑑みてなされたものであり、引き出しケージに対して電子ユニットを容易に装着脱しうる電子ユニットの搭載機構及びディスクアレイ装置を提供することを目的とする。
【課題を解決するための手段】
【００１１】
上記の課題を解決するために本発明では、次に述べる各手段を講じたことを特徴とするものである。
【００１２】
請求項１記載の発明は、
筐体に対して引き出し可能な構成とされた電子ユニット搭載体に対して電子ユニットを装着脱する電子ユニットの搭載機構であって、
前記電子ユニット搭載体に固定された本体部と、前記電子ユニットを保持する保持部とを有し、
前記保持部を前記本体部に対して突出し前記電子ユニットが装着脱される突出位置と、前記本体部内に収納される収納位置との間で、鉛直方向に移動可能な構成としたことを特徴とするものである。
【００１３】
上記発明によれば、保持部は本体部に対して鉛直方向に移動可能であり、本体部から突出した突出位置に移動することができる。そして、この突出位置において、保持部に対して電子ユニットの装着脱を行うことが可能となる。突出位置にある保持部に対して電子ユニットの装着脱する操作は、引き出された電子ユニット搭載体に直接電子ユニットを装着脱する構成に比べて容易であり、よって電子ユニットの装着脱操作の操作性を向上させることができる。
【００１４】
また、請求項２記載の発明は、
請求項１記載の電子ユニットの搭載機構において、
前記保持部が前記収納位置から前記突出位置に移動した際、前記保持部の移動を規制する移動規制部材を設けたことを特徴とするものである。
【００１５】
また、上記発明によれば、保持部の突出位置方向への移動は、保持部が突出位置に移動した際に移動規制部材によりその移動を規制されるため、保持部材が本体部から離脱することを防止できる。
【００１６】
また、請求項３記載の発明は、
請求項１または２記載の電子ユニットの搭載機構において、
前記保持部に前記電子ユニットが装着された際、該電子ユニットを前記保持部に係止する係止部材を設けたことを特徴とするものである。
【００１７】
上記発明によれば、電子ユニットは保持部に装着された際に係止部材により保持部に係止されるため、保持部内においてガタツキが発生することを防止できる。このため、保持部内のガタツキに起因して電子ユニットに動作不良が発生することを防止できる。
【００１８】
また、請求項４記載の発明は、
請求項１乃至３のいずれか１項に記載の電子ユニットの搭載機構において、
前記保持部は、前記本体部に対して鉛直方向に移動する枠体と、前記電子ユニットが装着脱されると共に前記枠体に対して開閉可能な構成とされたホルダーとを有してなることを特徴とするものである。
【００１９】
上記発明によれば、突出位置に移動した枠体から開状態とされたホルダーに対して電子ユニットを装着脱すればよい構成となり、電子ユニットの装着脱操作の操作性を更に高めることができる。
【００２０】
また、請求項５記載の発明は、
筐体と、該筐体に対して引き出し可能な構成とされたハードディスクドライブ搭載体と、該ハードディスクドライブ搭載体に対してハードディスクドライブを装着脱する構造とを有してなるハードディスクドライブ搭載機構を設けたディスクアレイ装置であって、
前記ハードディスクドライブ搭載機構を、前記ハードディスクドライブ搭載体に固定された本体部と、前記ハードディスクドライブを保持する保持部とを有する構成とし、
前記保持部を前記本体部に対し、前記ハードディスクドライブ搭載体から突出し前記ハードディスクドライブが装着脱される突出位置と前記ハードディスクドライブ収納体内に収納される収納位置との間で、鉛直方向に移動可能な構成としたことを特徴とするものである。
【００２１】
上記発明によれば、保持部は本体部に対して鉛直方向に移動可能であり、ハードディスクドライブ搭載体から突出した突出位置に移動することができる。そして、この突出位置において、保持部に対してハードディスクドライブの装着脱を行うことが可能となる。ハードディスクドライブ搭載体から突出した保持部に対してハードディスクドライブの装着脱する操作は、引き出されたハードディスクドライブ搭載体に直接ハードディスクドライブを装着脱する構成に比べて容易であり、よってハードディスクドライブ搭載体に対するハードディスクドライブの装着脱操作の操作性を向上させることができる。
【発明の効果】
【００２２】
上述の如く本発明によれば、よって電子ユニット搭載体（ハードディスクドライブ搭載体）に対する電子ユニット（ハードディスクドライブ）の装着脱操作の操作性を向上させることができる。
【発明を実施するための最良の形態】
【００２３】
次に、本発明を実施するための最良の形態について図面と共に説明する。
【００２４】
図３は本発明の第１実施例である電子ユニットの搭載機構１０Ａ（以下、搭載機構１０Ａという）を適用したディスクアレイ装置１を示している。このディスクアレイ装置１は、大型コンピュータの外部記憶装置であり、データの保存を行うために用いられるものである。本実施例では、電子ユニットとしてハードディスクドライブ（ＨＤＤ）２０を用いた例について説明する。このＨＤＤ２０は２．５インチのディスク径の小型化されたＨＤＤである。
【００２５】
ディスクアレイ装置１は、大略すると引き出しケージ１Ａ（請求項に記載の電子ユニット搭載体に相当する），装置本体１Ｂ，及び搭載機構１０Ａ等により構成されている。引き出しケージ１Ａは、装置本体１Ｂに設けられたレール２２により、図中矢印Ｘ１方向に引き出し、また図中矢印Ｘ２方向に収納しうる構成とされている。
【００２６】
装置本体１Ｂは規格化された筐体形状を有しており、その横幅（図中、矢印Ｙ１，Ｙ２方向の幅）は１９インチとされている。この装置本体１Ｂは、４本のラック柱３０に固定された構成とされている。尚、図３にはラック３０に１台のディスクアレイ装置１のみが配設された構成を示しているが、このラック３０には複数のディスクアレイ装置１または同一規格のその他の装置が配設される。
【００２７】
引き出しケージ１Ａには複数のＨＤＤ２０が収納されており、各ＨＤＤ２０は搭載機構１０Ａにより引き出しケージ１Ａに対して装着脱される構成とされている。この搭載機構１０Ａは、引き出しケージ１Ａに殆ど隙間無く配設されており、よってＨＤＤ２０は引き出しケージ１Ａに対して高密度に搭載される。
【００２８】
また、ＨＤＤ２０は、メンテナンス等によりディスクアレイ装置１から取り出される場合には、先ず引き出しケージ１Ａを装置本体１Ｂから引き出し、続いて搭載機構１０ＡによりＨＤＤ２０を図中矢印Ｚ１方向に突出させた状態で取り出される。
【００２９】
以下、搭載機構１０Ａの構成について、図４乃至図６を参照して説明する。図４乃至図６は、搭載機構１０Ａを拡大して示す図である。搭載機構１０Ａは、大略すると本体部２と保持体３とにより構成されている。
【００３０】
本体部２は、バックプレート２３Ａとサイドプレート２３Ｂとを接合した構成とされている。バックプレート２３Ａは底板として機能するものであり、ＨＤＤ２０に設けられているコネクタ１７（図５（Ｂ）及び図６（Ｂ）参照）と接続するコネクタ２４が配設されている。
【００３１】
サイドプレート２３Ｂはバックプレート２３Ａを挟むように、バックプレート２３Ａの両側部に立設するよう設けられている。各サイドプレート２３Ｂには、図中矢印Ｚ１，Ｚ２方向に延在する一対のガイド１５が形成されている。
【００３２】
この一対のガイド１５は、板状とされた各サイドプレート２３Ｂの一部を内側に向け折り曲げることにより形成されており、よって容易に形成することができる。また、ガイド１５を内側に向け折り曲げることにより、各サイドプレート２３Ｂにはそれぞれ一対の長孔が形成されるが、後述するようにこの各長孔は通風孔２５Ａとして機能する。更に、各ガイド１５の上端部には、外側に向け若干折り曲げられたホルダー閉付勢部３３（図８参照）が形成されている。
【００３３】
上記構成とされた各サイドプレート２３Ｂに一対形成されたガイド１５は、後述する保持体３を案内する機能を奏する。即ち、各サイドプレート２３Ｂに一対形成されたガイド１５の離間距離（図４に矢印Ｌ１で示す）は、保持体３の幅寸法（図４に矢印Ｌ２で示す）と略同一の寸法とされており、よって保持体３の図中矢印Ｚ１，Ｚ２方向の移動は、ガイド１５に案内されて行なわれる。
【００３４】
また、サイドプレート２３Ｂにはストッパバネ４Ａ及び嵌合孔１２が形成されている。このストッパバネ４Ａ及び嵌合孔１２は、各サイドプレート２３Ｂの一対のガイド１５に挟まれた部位でかつ上方位置に設けられている。尚、説明の便宜上、ストッパバネ４Ａ及び嵌合孔１２の説明は、後述するものとする。
【００３５】
保持体３は、大略すると枠体６、ホルダー７Ａ，及びハンドル１４等を有した構成とされている。枠体６は、前記のように本体部２に形成されたガイド１５に案内されることにより、鉛直方向（図中矢印Ｚ１，Ｚ２方向）に移動可能な構成とされている。即ち、保持体３は本体部２から突出した突出位置（図４及び図５に示す位置）と、本体部２内に収納された収納位置（図６に示す位置）との間で鉛直方向に移動する構成とされている。
【００３６】
この枠体６には、バックボード６Ａが設けられると共にホルダー７Ａが設けられている。バックボード６Ａは、枠体６の一方の開口を閉塞するものである。また、枠体６の下端部近傍には、ストッパ用孔５（図８に詳しい）が形成されている。
【００３７】
ホルダー７ＡはＨＤＤ２０が装着脱されるものであり、装着状態においてＨＤＤ２０を保持する。このホルダー７Ａは、枠体６に対し支軸３１を中心として図中矢印Ｂ１，Ｂ２方向に揺動可能な構成となっている。また、ホルダー７Ａの両側部には、突起８及びバネ１６が形成されている。
【００３８】
ホルダー７Ａは金属板を一体的に形成したものであり、よって突起８及びバネ１６も一体的形成された構成とされている。この突起８は外側に向け突出するよう形成されており、またバネ１６は内側（ＨＤＤ２０が挿入される側）に向け突出するよう形成されている。
【００３９】
また、枠体６の突起８の形成位置と対応する位置には、凹部９が形成されている。更に、ホルダー７Ａのバックボード６Ａと対向する位置には、バックボード６Ａに向け斜め方向に延出したホルダー開付勢バネ３２が形成されている（図８参照）。
【００４０】
ハンドル１４は、枠体６の上部に配設されている。このハンドル１４は、支軸１４ａを中心として枠体６に対して図中矢印Ｄ１，Ｄ２方向に回動可能な構成とされている。また、枠体６の上部には、ハンドル１４がＤ１方向に回動され枠体６の上面に重なった状態となった際、ハンドル１４をその位置（以下、ラッチ位置という）に固定するラッチ機構１３が設けられている。このラッチ機構１３を操作することにより、ハンドル１４はラッチ位置に固定及び固定解除される。
【００４１】
ハンドル１４のハンドル１４ａよりも長く延出する部分は、後述するように保持体３を本体部２から引き出す際に操作者により把持される部分（把持部）となる。また、ハンドル１４の支軸１４ａを中心として把持部の反対側には突起１１が形成されている（図６（Ｂ）及び図９（Ｂ）に詳しい）。
【００４２】
この突起１１は、保持体３が収納位置にある時ハンドル１４がラッチされることにより本体部２に形成されている係合孔１２と係合し、これにより本体部２を収納位置に固定する機能を奏する（図９（Ｂ）参照）。
【００４３】
続いて、上記構成とされた搭載機構１０Ａの動作及びＨＤＤ２０の装着脱操作について説明する。以下の説明では、引き出しケージ１Ａ内のＨＤＤ２０が装着されていない搭載機構１０Ａに対し、ＨＤＤ２０を装着する時の動作及び操作を例に挙げて説明するものとする。
【００４４】
ＨＤＤ２０を引き出しケージ１Ａに装着するには、先ず引き出しケージ１Ａを装置本体１Ｂから引き出す。図３は、引き出しケージ１Ａを装置本体１Ｂから引き出した状態を示している。この引き出しケージ１Ａを装置本体１Ｂから引き出した状態では、引き出しケージ１Ａ内に複数配設されている全ての搭載機構１０Ａは、保持体３が本体部２内に収納された状態となっており、各ハンドル１４はラッチ機構１３によりラッチ位置にラッチされた状態となっている。
【００４５】
続いて、図３に示される状態より、ＨＤＤ２０を搭載しようとする搭載機構１０Ａのラッチ機構１３を操作し、ハンドル１４を矢印Ｄ２方向に回動させる。これにより、突起１１と係合孔１２との係合は解除され、保持体３は鉛直方向に移動可能な状態となる。
【００４６】
続いて操作者は、ハンドル１４の把持部を把持して保持体３を上方（矢印Ｚ１方向）に移動操作する。この操作に従い、保持体３は枠体６が本体部２に設けられたガイド１５に案内されることにより位置規制されつつ上動する。
【００４７】
保持体３が図４及び図５に示す突出位置まで移動すると、保持体３に設けられたホルダー７Ａが自動的に矢印Ｂ１方向に開蓋すると共に、保持体３はこの突出位置にロックされる。以下、この各動作について説明する。
【００４８】
先ず、保持体３が突出位置まで移動するとホルダー７Ａが自動的に開蓋する機構について説明する。前記したように、ホルダー７Ａにはホルダー開付勢バネ３２が設けられており、このホルダー開付勢バネ３２はバックボード６Ａに当接して弾性力を付勢するよう構成されている（図８参照）。また、ホルダー７Ａの背面７Ａ−１（図４における外側の面）の両側部は、前記したサイドプレート２３Ｂに形成されたガイド１５と係合するよう構成されている。
【００４９】
従って、ホルダー７Ａの背面７Ａ−１がガイド１５と係合している間は、図８（Ｂ）に示すように、ホルダー開付勢バネ３２がバックボード６Ａに対してホルダー７Ａを弾性付勢していても、背面７Ａ−１がガイド１５と係合しているためホルダー７Ａは回動することはない。
【００５０】
また、ホルダー７Ａが上動されると、背面７Ａ−１とガイド１５との係合は徐々に解除されてゆき、所定の係合解除位置まで移動するとホルダー開付勢バネ３２がバックボード６Ａを押圧する弾性付勢力及びホルダー７Ａの自重により、図８（Ａ）に示すようにホルダー７Ａは矢印Ｂ１方向に自動的に開蓋する。この際、突起８と凹部９との係合も解除される。
【００５１】
尚、保持体３が本体部２に装着される場合は、ホルダー７Ａ（枠体６）の下動に伴い背面７Ａ−１がガイド１５の上端に形成されたホルダー閉付勢部３３と当接し、このホルダー閉付勢部３３に相対的に背面７Ａ−１が押圧されることによりホルダー７Ａは自動的に閉蓋する。
【００５２】
次に、保持体３が突出位置まで移動すると、保持体３が突出位置にロックされる機構について説明する。前記したように保持体３（枠体６）の下端近傍にはストッパ用孔５が形成されており、また本体部２の上部所定位置にはストッパバネ４Ａが配設されている。このストッパバネ４Ａの形成位置は、ストッパ用孔５の形成位置と対応するよう構成されている。即ち、保持体３が本体部２に対して上動し、所定の突出位置まで移動したときにストッパ用孔５がストッパバネ４Ａと係合するよう構成されている。
【００５３】
図７（Ａ）は、ストッパ用孔５にストッパバネ４Ａが係合した状態を示している。同図に示すように、ストッパバネ４Ａはストッパ用孔５に係合することにより、本体部２に対して保持体３を係止する係止部１８Ａが形成されている。この係止部１８Ａがストッパ用孔５と係合することにより、保持体３のそれ以上のＺ１方向への移動が規制される。これにより、保持体３が本体部２から離脱することを防止できる。
【００５４】
本実施例では、この係止部１８Ａは、上方に行くに従い外側外部に広がるような傾斜を有した形状とされている。このため、ストッパバネ４Ａとストッパ用孔５の係合を解除する場合には、本実施例では保持体３を本体部２に対して強く下方向（Ｚ２方向）に押圧操作する。これにより、上記した傾斜により係止部１８Ａはストッパ用孔５から円滑に離間し、よって保持体３は本体部２に対して下動可能な状態となる。
【００５５】
尚、ストッパバネの形状は、図７（Ａ）に示すストッパバネ４Ａの形状に限定されるものではなく、図７（Ｂ），（Ｃ）に示すような形状としてもよい。即ち、図７（Ｂ），（Ｃ）に示すストッパバネ４Ｂは、ストッパバネ４Ａと異なり係止部１８Ｂは傾斜を有しないコ字状の形状となっている。また、ストッパバネ４Ｂの上端部には、操作者が操作する操作部１９が形成されている。
【００５６】
係止部１８Ｂとストッパ用孔５との係合を解除するには、図７（Ｃ）に示すように操作部１９を矢印Ｃ方向に移動させ、これにより係止部１８Ｂをストッパ用孔５から離間させる。このストッパバネ４Ｂによれば、係止部１８Ｂが傾斜を有しないコ字状の形状であるため、係止部１８Ｂはストッパ用孔５と強固に係合する。このため、保持体３に対して意図しない外力がＺ２方向に印加されても、保持体３が収納位置に移動してしまうことを確実に回避することができる。
【００５７】
上記のように、保持体３が突出位置まで移動してその移動がロックされ、また枠体６に対してホルダー７Ａが開いた状態となると、操作者はホルダー７Ａに対しＨＤＤ２０を装着する。このＨＤＤ２０の保持体３への装着操作は、ホルダー７Ａへの装着位置を確実に認識することができ、また単にホルダー７Ａに対して挿入するだけの操作であるため、簡単に行うことができる。
【００５８】
更に、ホルダー７Ａは、内側に向け突出したバネ１６が形成されているため、装着されたＨＤＤ２０はホルダー７Ａ内でガタツクようなことはない。よって、搭載機構１０ＡによりＨＤＤ２０をディスクアレイ装置１に搭載した後において、保持体３内のガタツキに起因してＨＤＤ２０に動作不良が発生することを防止できる。
【００５９】
このＨＤＤ２０のホルダー７Ａへの装着が終了すると、続いて操作者はハンドル１４を把持して保持体３を下動させる。これにより、前記したように係止部１８Ａはストッパ用孔５から離間してストッパバネ４Ａによるロックは解除され、本体部２に対し保持体３は移動可能な状態となる。
【００６０】
また、保持体３の下動に伴い、前記したようにホルダー閉付勢部３３付勢されることによりホルダー７ＡはＢ２方向に閉蓋され、これによりホルダー７Ａは枠体６内に収納された状態となる。この収納状態において、突起８は凹部９に係合する。
【００６１】
また、この収納状態にあっては、ＨＤＤ２０はバックボード６Ａとホルダー７Ａの背面７Ａ−１との間に挟持された状態となっており、また前記のようにＨＤＤ２０はバネ１６によりホルダー７Ａ内に保持された構成となっている。このため、ＨＤＤ２０を搭載機構１０Ａ内に確実に搭載することができる。
【００６２】
ところで、ホルダー７Ａに装着された状態で、ＨＤＤ２０に設けられているコネクタ１７は、下側（Ｚ２方向側）に位置するよう構成されている。従って、本体部２に対して保持体３が下動すると、ＨＤＤ２０のコネクタ１７が本体部２に設けられているコネクタ２４と先ず当接する。このようにコネクタ１７とコネクタ２４とが当接した時点で、保持体３の下動は一旦停止する。
【００６３】
続いて、この状態よりハンドル１４を矢印Ｄ１方向に向け回動操作する。ハンドル１４が回動することにより突起１１も回動し、この突起１１は本体部２に形成されている係合孔１２に係合する。この状態から更にハンドル１４を回動させることによりハンドル１４は、突起１１と係合孔１２との係合位置を支点、操作者が把持し押圧する把持部を力点、そして支軸１４ａを作用とする梃子として作用する。このため、ハンドル１４に対する操作力は小さくても、保持体３に作用するＺ２方向の力は大きくなり、よって確実にコネクタ１７をコネクタ２４に差し込むことができる。
【００６４】
続いて、ハンドル１４をラッチ機構１３によりラッチし、引き出しケージ１Ａを装置本体１Ｂに収納する。以上、一連の操作を行うことにより、ＨＤＤ２０をディスクアレイ装置１に搭載することができる。
【００６５】
上記のように本実施例に係る搭載機構１０Ａは、保持体３を本体部２に対して鉛直方向に引き出し、突出位置にある本体部２に対してＨＤＤ２０を装着する構成であるため、ＨＤＤ２０のディスクアレイ装置１に対する搭載処理を容易に行うことができる。更に、本実施例では、保持体３にホルダー７Ａを設け、枠体６に対して開いたホルダー７Ａに対してＨＤＤ２０を装着脱する構成であるため、操作者はＨＤＤ２０の装着脱位置を確実に目視により認識でき、よって操作性よくＨＤＤ２０の搭載操作を行うことができる。
【００６６】
続いて、本発明の第２乃至第４実施例である搭載機構１０Ｂ〜１０Ｄについて、図９乃至図１３を参照して説明する。尚、図９乃至図１３において、第１実施例の説明に用いた図３乃至図８に図示した構成と同一構成については同一部号を付して、その説明を省略するものとする。
【００６７】
図９は、本発明の第２実施例である搭載機構１０Ｂを示している。前記した第１実施例に係る搭載機構１０Ａは、サイドプレート２３Ｂのガイド１５形成位置にのみ通風孔２５Ａが形成された構成とされていた。
【００６８】
これに対して本実施例では、ＨＤＤ２０を収納するホルダー７Ｂにも通風孔２５Ｂを形成したことを特徴とするものである（図９（Ｂ）参照）。このように、ＨＤＤ２０が収納されるホルダー７Ｂに直接通風孔２５Ｂを形成することにより、ＨＤＤ２０に対する冷却効率を高めることができる。尚、直接通風孔の形成位置は、ホルダー７Ｂ，サイドプレート２３Ｂに限定されるものではなく、例えば保持体３のバックボード６Ａに形成した構成としてもよい。
【００６９】
図１０は、本発明の第３実施例である搭載機構１０Ｃを示している。前記した第１実施例に係る搭載機構１０Ａは、ＨＤＤ２０を保持体３に装着した後、保持体３を本体部２内の収納位置に移動させる際、コネクタ１７とコネクタ２４が先ず当接する構成とされていた。しかしながらこの構成であると、保持体３を強くＺ２方向に押圧した場合、コネクタ１７とコネクタ２４とが強く衝突して損傷するおそれがある。
【００７０】
これに対して本実施例では、バックプレート２３Ａの上面或は、ホルダー７Ａの下面に緩衝部材３４を設けたことを特徴とするものである。この緩衝部材３４の高さは、コネクタ１７とコネクタ２４とが当接するときの両コネクタ１７，２４の総合高さよりも高い寸法に設定されている。
【００７１】
従って、保持体３が収納位置に移動してくる際、コネクタ１７とコネクタ２４が当接する前に、最初に緩衝部材３４がバックプレート２３Ａ或はホルダー７Ａの底面と当接し緩衝機能を奏するため、コネクタ１７，４が強く衝突して損傷することを防止できる。尚、この緩衝部材３４としては、板バネ，コイルバネ，緩衝用ゴム等の弾性材を用いることができる。
【００７２】
図１１乃至図１３は、本発明の第４実施例である搭載機構１０Ｄを示している。前記した第１実施例に係る搭載機構１０Ａは、ホルダー７Ａ内におけるＨＤＤ２０のガタツキを防止するためにバネ１６のみを設けた構成としていた。このバネ１６を設けることにより、ホルダー７Ａ内におけるＨＤＤ２０の一定のガタツキを防止することは可能である。しかしながら、強い外力を受けた場合にはバネ１６が弾性変形してしまい、やはりＨＤＤ２０の動作不良が発生するおそれがある。
【００７３】
そこで、本実施例に係る搭載機構１０Ｄは、ホルダー７Ｃの側面に傾斜部３５を形成すると共に、この傾斜部３５内にスライダ２７を設けたことを特徴とするものである。このスライダ２７は楔状の形状を有しており、よって図１１に示すように、ホルダー７ＣにＨＤＤ２０を装着した状態で傾斜部３５にスライダ２７をＺ２方向に向け挿入することにより、ＨＤＤ２０を図中矢印Ｘ１方向に付勢することができる。これにより、ＨＤＤ２０は傾斜部３５が形成された側面と異なる側面に押圧付勢されるため、ガタツキの発生をより確実に防止することができる。よって、ＨＤＤ２０の動作不良の発生を更に確実に抑制することができる。
【００７４】
図１４は、本実施例の搭載機構１０Ｄにおいて、保持体３が突出位置にあり、またハンドル１４がＤ２方向に開いた状態を示している。また搭載機構１０Ｄでは、図１２（Ｃ）に示すように、スライダ２７の下部にバネ２８が設けられている。また、このバネ２８によりスライダ２７は矢印Ｚ１方向に付勢されており、よってスライダ２７のＺ１方向端部は、図１２（Ｂ）に示すように枠体６の上面よりも突出した構成となっている。尚、図１２（Ｂ）は図１２（Ａ）における矢印Ａで示す部分の拡大図であり、図１２（Ｃ）は図１２（Ａ）における矢印Ｂで示す部分の拡大図である。
【００７５】
図１２に示すように、スライダ２７がＺ１方向に移動した状態であると、スライダ２７とホルダー７Ｃの他の側面との離間距離はＨＤＤ２０の幅寸法よりも広いため、ホルダー７Ｃに対してＨＤＤ２０を操作性よく装着脱することができる。尚、図１２は、ホルダー７Ｃ内にＨＤＤ２０が装着された状態を示している。
【００７６】
図１２に示す状態において、ハンドル１４を操作することにより保持体３を本体部２内に収納し、続いてハンドル１４をＤ１方向に閉じると、ハンドル１４は枠体６から突出したスライダ２７にも当接し、これをＺ２方向に押圧する。図１３は、ハンドル１４がスライダ２７を押圧している状態を示している。
【００７７】
ハンドル１４により押圧力により、スライダ２７はバネ２８の弾性力に抗してＺ２方向に移動し、これによりＨＤＤ２０はスライダ２７が配設された側面と異なる側面に向け押圧される（矢印Ｘ１方向に押圧される）。前記したように、ハンドル１４はラッチ機構１３にラッチされるため、このラッチ状態が維持されている間は、スライダ２７はＨＤＤ２０を上記異なる側面に向け押圧した状態を維持する。よって、ホルダー７Ｃ内におけるＨＤＤ２０のガタツキは確実に防止され、これにより本実施例に係る搭載機構１０Ｄによれば、より確実にＨＤＤ２０に動作不良が発生することを防止できる。
【００７８】
尚、搭載機構１０Ｄに搭載していたＨＤＤ２０を取り出すには、ハンドル１４をＤ２方向に回動し、スライダ２７の押圧を解除することにより、バネ２８に蓄成されていた弾性復元力によりスライダ２７は自動的にＺ１方向に移動し、ＨＤＤ２０のＸ１方向への押圧も解除される。よって、ハンドル１４のラッチを解除した後は、ホルダー７ＣからＨＤＤ２０を容易に装着脱することができる。
【００７９】
以上の説明に関し、更に以下の項を開示する。
（付記１）
筐体に対して引き出し可能な構成とされた電子ユニット搭載体に対して電子ユニットを装着脱する電子ユニットの搭載機構であって、
前記電子ユニット搭載体に固定された本体部と、前記電子ユニットを保持する保持部とを有し、
前記保持部を前記本体部に対して突出し前記電子ユニットが装着脱される突出位置と、前記本体部内に収納される収納位置との間で、鉛直方向に移動可能な構成としたことを特徴とする電子ユニットの搭載機構。
（付記２）
付記１記載の電子ユニットの搭載機構において、
前記保持部が前記収納位置から前記突出位置に移動した際、前記保持部の移動を規制する移動規制部材を設けたことを特徴とする電子ユニットの搭載機構。
（付記３）
付記１または２記載の電子ユニットの搭載機構において、
前記保持部に前記電子ユニットが装着された際、該電子ユニットを前記保持部に係止する係止部材を設けたことを特徴とする電子ユニットの搭載機構。
（付記４）
付記１乃至３のいずれか１項に記載の電子ユニットの搭載機構において、
前記保持部が前記本体部内に収納される際、前記保持部と前記本体部との衝突を緩衝する緩衝部材を設けたことを特徴とする電子ユニットの搭載機構。
（付記５）
付記１乃至４のいずれか１項に記載の電子ユニットの搭載機構において、
前記保持部は、前記本体部に対して鉛直方向に移動する枠体と、前記電子ユニットが装着脱されると共に前記枠体に対して開閉可能な構成とされたホルダーとを有してなることを特徴とする電子ユニットの搭載機構。
（付記６）
付記５記載の電子ユニットの搭載機構において、
前記保持部が前記収納位置から前記突出位置に移動した際、前記枠体に対して前記ホルダーを開くよう付勢する開機構を設けたことを特徴とする電子ユニットの搭載機構。
（付記７）
付記５または６記載の電子ユニットの搭載機構において、
前記保持部が前記突出位置から前記収納位置に移動した際、前記枠体に対して前記ホルダーを閉める付勢する閉機構を設けたことを特徴とする電子ユニットの搭載機構。
（付記８）
付記１乃至７のいずれか１項に記載の電子ユニットの搭載機構において、
前記固定部に前記保持部の移動を案内する案内部を形成し、該案内部の形成に伴い形成される穴を、前記電子ユニットを冷却する冷却風の通過穴として用いることを特徴とする電子ユニットの搭載機構。
（付記９）
筐体と、該筐体に対して引き出し可能な構成とされたディスク装置搭載体と、該ディスク装置搭載体に対してディスク装置を装着脱するディスクアレイ装置とを有してなるディスクアレイ装置であって、
前記ディスクアレイ装置を、前記ディスク装置搭載体に固定された本体部と、前記ディスク装置を保持する保持部とを有する構成とし、
前記保持部を前記本体部に対し、前記ディスク装置搭載体から突出し前記ディスク装置が装着脱される突出位置と前記ディスク装置収納体内に収納される収納位置との間で、鉛直方向に移動可能な構成としたことを特徴とするディスクアレイ装置。
（付記１０）
付記９記載のディスクアレイ装置において、
前記保持部が前記収納位置から前記突出位置に移動した際、前記保持部の移動を規制する移動規制部材を設けたことを特徴とするディスクアレイ装置。
（付記１１）
付記９または１０記載のディスクアレイ装置において、
前記保持部に前記ディスク装置が装着された際、該ディスク装置を前記保持部に係止する係止部材を設けたことを特徴とするディスクアレイ装置。
（付記１２）
付記９乃至１１のいずれか１項に記載のディスクアレイ装置において、
前記保持部が前記本体部内に収納される際、前記保持部と前記本体部との衝突を緩衝する緩衝部材を設けたことを特徴とするディスクアレイ装置。
（付記１３）
付記９乃至１２のいずれか１項に記載のディスクアレイ装置において、
前記保持部は、前記本体部に対して鉛直方向に移動する枠体と、前記ディスク装置が装着脱されると共に前記枠体に対して開閉可能な構成とされたホルダーとを有してなることを特徴とするディスクアレイ装置。
（付記１４）
付記１３記載のディスクアレイ装置において、
前記保持部が前記収納位置から前記突出位置に移動した際、前記枠体に対して前記ホルダーを開くよう付勢する開機構を設けたことを特徴とするディスクアレイ装置。
（付記１５）
付記１３または１４記載のディスクアレイ装置において、
前記保持部が前記突出位置から前記収納位置に移動した際、前記枠体に対して前記ホルダーを閉める付勢する閉機構を設けたことを特徴とするディスクアレイ装置。
（付記１６）
付記９乃至１５のいずれか１項に記載のディスクアレイ装置において、
前記固定部に前記保持部の移動を案内する案内部を形成し、該案内部の形成に伴い形成される穴を、前記ディスク装置を冷却する冷却風の通過穴として用いることを特徴とするディスクアレイ装置。
【図面の簡単な説明】
【００８０】
【図１】図１は、従来の一例であるディスクアレイ装置の斜視図である。
【図２】図２は、従来の一例であるディスクアレイ装置に搭載される電子ユニットの斜視図である。
【図３】図３は、本発明の一実施例であるディスクアレイ装置の斜視図である。
【図４】図４は、本発明の第１実施例である搭載機構の斜視図である。
【図５】図５は、本発明の第１実施例である搭載機構の保持部が突出した状態を示す図であり、（Ａ）は側面図、（Ｂ）は正面図である。
【図６】図６は、本発明の第１実施例である搭載機構の保持部が収納された状態を示す図であり、（Ａ）は側面図、（Ｂ）は正面図である。
【図７】図７は、保持部を突出位置に係止するストッパバネを説明するための図である。
【図８】図８は、枠体に対してホルダーを開閉する機構を説明するための図である。
【図９】図９は、本発明の第２実施例である搭載機構の保持部が収納された状態を示す図であり、（Ａ）は側面図、（Ｂ）は正面図である。
【図１０】図１０は、本発明の第３実施例である搭載機構の保持部が収納された状態を示す図であり、（Ａ）は側面図、（Ｂ）は正面図である。
【図１１】図１１は、本発明の第４実施例である搭載機構に設けられるホルダーを示す正面図である。
【図１２】図１２は、本発明の第４実施例である搭載機構の保持部が突出した状態を示す正面図である。
【図１３】図１３は、本発明の第４実施例である搭載機構の保持部が収納された状態を示す正面図である。
【符号の説明】
【００８１】
１  ディスクアレイ装置
１Ａ  引き出しケージ
１Ｂ  装置本体
２  本体部
３  保持体
６  枠体
７Ａ〜７Ｃ  ホルダー
１０Ａ〜１０Ｄ  搭載機構
１３  ハウジング
１４  ハンドル
１５  ガイド
１８Ａ，１８Ｂ  係止部
１９  操作部
２０  ＨＤＤ
２１  シャーシ
２５Ａ，２５Ｂ  通風孔
３０  ラック
３１  支軸
３２  ホルダー開付勢バネ
３３  ホルダー閉付勢部
３４  緩衝部材
３５  傾斜部
【図１】
2006172002.tif 000003
【図２】
2006172002.tif 000004
【図３】
2006172002.tif 000005
【図４】
2006172002.tif 000006
【図５】
2006172002.tif 000007
【図６】
2006172002.tif 000008
【図７】
2006172002.tif 000009
【図８】
2006172002.tif 000010
【図９】
2006172002.tif 000011
【図１０】
2006172002.tif 000012
【図１１】
2006172002.tif 000013
【図１２】
2006172002.tif 000014
【図１３】
2006172002.tif 000015